(57)【特許請求の範囲】
【請求項１】
前側のレンズ部と後側のビューファインダと後側から見て右側のグリップ部と後側から見て左側の液晶モニタとを有し、後側から見て右側に配置されたテープカセットの装着部のための蓋部に外部メモリを挿入するためのスロット部を設け、該スロット部の入口を前側に設けたことを特徴とするビデオカメラレコーダ。
【請求項２】
上記蓋部は下側の枢動軸線周りに枢動するように構成されていることを特徴とする請求項１記載のビデオカメラレコーダ。
【発明の詳細な説明】
【０００１】
【発明の属する技術分野】
本発明は静止画像を記録するための外部メモリを供えたビデオカメラレコーダに関する。
【０００２】
【従来の技術】
従来、動画像をデジタル信号として記録するデジタルビデオカメラが商品化されている。一方近年、静止画像をデジタル信号として記録するデジタルカメラ又はデジタルスチルカメラが開発され商品化されている。
【０００３】
【発明が解決しようとする課題】
しかしながら、ビデオカメラは、静止画像を磁気テープに一定時間記録することはできるが、デジタルスチルカメラのように静止画像を外部メモリに記録する機能は供えていない。
【０００４】
従って、従来のビデオカメラレコーダに静止画像を記録するための外部メモリを装填することができるようにすればよいが、それではビデオカメラレコーダの本体の寸法が大きくなる。
【０００５】
本発明はかかる点に鑑み、デジタルスチルカメラの機能を供えても小型化が可能なデジタルビデオカメラレコーダを提供することを目的とする。
【０００６】
【課題を解決するための手段】
本発明のビデオカメラレコーダは、前側のレンズ部と後側のビューファインダと後側から見て右側のグリップ部と後側から見て左側の液晶モニタとを有し、後側から見て右側に配置されたテープカセットの装着部のための蓋部に外部メモリを挿入するためのスロット部を設け、該スロット部の入口は前側に設けられている。
【０００７】
従って、デジタルスチルカメラの機能を供えたデジタルビデオカメラレコーダを小型化することができる。
【０００８】
【発明の実施の形態】
図１は本例のビデオカメラレコーダの外観図である。本例のビデオカメラレコーダによると、本体１０の前側にはレンズ部１１が配置され後側にはビューファインダ１２及びバッテリ１３が配置されている。通常、後側から見て、右側にグリップ部１４が設けられ、左側に液晶モニタ１５が配置されている。これは、本体１０を右手で保持し、液晶モニタ１５を左手で操作するためである。本体１０の右側には磁気テープカセットを装填するためのメカデッキ１７にアクセスするための蓋部２０が設けられている。
【０００９】
液晶モニタ１５は、本体１０の前側の垂直な枢動軸線周りに開閉可能であり、蓋部２０は、本体１０の下側の水平な枢動軸線周りに開閉可能である。
【００１０】
図２は本例のビデオカメラレコーダを前側より見た図であり、液晶モニタ１５は閉じられ、蓋部２０は開かれた状態にある。ビデオカメラレコーダを前側より見ると、右側より順番に、液晶モニタ１５、メイン基板１６、メカデッキ１７及び蓋部２０が配列されている。以上は、従来のビデオカメラレコーダの構造と同様である。
【００１１】
本例によると、後側から見て、本体１０の右側に、静止画像をデジタル信号として記憶するための外部メモリ３０が装填されるように構成されている。外部メモリ３０には、ＰＣカード、ピクチャーカード、フロッピディスク等の各種のカード型又はディスク型記憶媒体が含まれる。
【００１２】
外部メモリ３０は、蓋部２０に形成されたスロット部２１に挿入されるように構成されている。スロット部２１の挿入口は前側に設けられている。
【００１３】
こうして、外部メモリ３０を本体１０の右側（グリップ側）に配置し、スロット部２１の挿入口を本体１０の前側に設けることによって、図示のような形式のビデオカメラレコーダの寸法、特に横方向の寸法を小さくすることができる。以下に詳細に説明する。
【００１４】
図３はビデオカメラレコーダを後側より見た図であり、これを参照して、本例の構造の特徴を説明する。図３Ａは、図１及び図２に示した例と同様な構造であり、外部メモリ３０のためのスロット部２１は、後側から見て右側の蓋部２０内に配置され、その挿入口は前側に配置されている。一方、図３Ｂの例では、外部メモリ３０のためのスロット部２１は後側から見て左側に配置され、その挿入口は後側に配置されている。
【００１５】
先ず外部メモリ３０のためのスロット部２１の挿入口を、本体１０の前側に設けた場合のほうが、後側に設けた場合より都合が良い理由を説明する。
【００１６】
図１及び図２に示した形式のビデオカメラレコーダの場合、その背面部には、図示のようにバッテリ１３とスタート／ストップ用スイッチ１９が設けられる。スイッチ１９は、右手の親指で操作することができるように、バッテリ１３の右側に配置されている。従って、外部メモリ３０の挿入口を後側に設ける場合には、外部メモリ３０の挿入及び取り出し動作がバッテリ１３の装填及びスイッチ１９の操作と干渉しないように、配慮しなければならない。
【００１７】
また、液晶モニタ１５内には、外部メモリ３０を配置することはできない。従って、背面部には、スロット部２１の挿入口を設けるためのスペースが必要となる。結局、図３Ｂの例に示すように、スロット部２１の挿入口を後側に設ける場合、液晶モニタ１５の寸法ＬＣＤ、バッテリ１３の寸法Ｂ及びスイッチ１９の寸法Ｓ以外に、外部メモリ３０の寸法Ｍが必要となり、本体１０の横方向の寸法Ｗが大きくなる。図示のように、メイン基板１６と外部メモリ３０の間に不要な空間３１が生ずる。
【００１８】
一方、図３Ａに示す例のように、スロット部２１の挿入口を前側に設ける場合、背面部には、バッテリ１３とスイッチ１９のためのスペースがあればよく、本体１０の横方向の寸法Ｗは、バッテリ１３の寸法Ｂとスイッチ１９の寸法Ｓの和に相当する空間があればよい。従って、より小さな寸法にすることができる。
【００１９】
次に、外部メモリ３０のためのスロット部２１を、本体１０の右側に設けた場合のほうが、左側に設けた場合より都合が良い理由を説明する。
【００２０】
外部メモリ３０のためのスロット部２１を、図３Ｂのように本体１０の左側に設ける場合、その挿入口は後側に設ける必要がある。なぜなら、挿入口を前側に設ける場合、前側にある液晶モニタ１５の枢動部と干渉しないように、その位置を設定しなければならず、困難である。
【００２１】
結局、外部メモリ３０を左側に設ける場合には、スロット部２１の挿入口を後側に設けなければならず、図３Ｂの例のように、本体の横方向の寸法が大きくなる。
【００２２】
それに対して図３Ａの例のように、外部メモリ３０を本体の右側に設ける場合、蓋部２０にスロット部２１を設けることができる。蓋部２０は右手で本体１０を保持することができるように湾曲した面を有する。この湾曲部を利用して外部メモリ３０のためのスロット部２１を形成すればよい。
【００２３】
以上より、図３Ａに示したように、外部メモリ３０のためのスロット部２１を本体１０の右側の蓋部２０に設け、その挿入口を前側に設けた場合のほうが、図３Ｂに示したように、外部メモリ３０のためのスロット部２１を本体１０の左側に設け、その挿入口を後側に設ける場合よりも、より小型化が可能であることが理解されよう。
【００２４】
以上、本発明の実施の形態について詳細に説明してきたが、本発明は上述の例に限ることなく本発明の要旨を逸脱することなく他の種々の構成が採り得ることは当業者にとって容易に理解されよう。
【００２５】
【発明の効果】
本発明によると、外部メモリを収容するためのスロット部は蓋部に配置され、その挿入口は前側に配置されているから、ビデオカメラレコーダの本体の横方向の幅寸法を最小化することができる利点がある。
【図面の簡単な説明】
【図１】本発明によるビデオカメラレコーダの外観図である。
【図２】本発明によるビデオカメラレコーダの前面図である。
【図３】本発明のビデオカメラレコーダの寸法を説明するための説明図である。
【符号の説明】
１０‥‥本体、１１‥‥レンズ部、１２‥‥ビューファインダ、１３‥‥バッテリ、１４‥‥グリップ部、１５‥‥液晶モニタ、１６‥‥メイン基板、１７‥‥メカデッキ、１９‥‥スタート／ストップスイッチ、２０‥‥蓋部、２１‥‥スロット部２１、３０‥‥外部メモリ、３１‥‥空間
【図１】
0004003291.tif 000002
【図２】
0004003291.tif 000003
【図３】
0004003291.tif 000004